(57)【特許請求の範囲】
【請求項１】
施設側敷地と敷地外との境界に設置され、前記施設側敷地から前記敷地外への小動物の移動は許容し、前記敷地外から前記施設側敷地への小動物の移動を規制する移動規制部材であって、
前記小動物が移動する壁面に取り付けられる取り付け部と、
前記取り付け部が前記壁面に取り付けられた状態で、前記壁面における敷地側部分に対しては鈍角をなし、前記壁面における敷地外側部分に対しては鋭角をなすように、前記取り付け部に設けられる板状部材である庇部と、
前記庇部における前記取り付け部とは反対側の端部から、当該端部に沿って設けられる複数の毛体からなるブラシ部と、
を有することを特徴とする移動規制部材。
【請求項２】
前記毛体は、弾性を有する樹脂製細線を複数並べたものであることを特徴とする請求項１に記載の移動規制部材。
【請求項３】
前記取り付け部は、板状部材によって作製され、
前記庇部は、断面がくの字となるように、前記取り付け部と一体に設けられていることを特徴とする請求項１または２に記載の移動規制部材。
【請求項４】
前記取り付け部は、内壁面が前記小動物の移動する通路となるパイプ材の内部に接合される円筒状部材によって作製され、
前記庇部は、前記取り付け部の開口縁から前記取り付け部の軸芯方向の外側に向かって次第に縮径される漏斗状部材によって作製され、
前記小動物を一方向へ誘導することを特徴とする請求項１または２に記載の移動規制部材。
【発明の詳細な説明】
【技術分野】
【０００１】
本発明は、ヤモリやイタチといった小動物の移動を規制する移動規制部材に関する。
【背景技術】
【０００２】
小動物には貴重種として保護されるべき種が存在する。例えば、タワヤモリやニホンイタチは貴重種に選定されている。貴重種保護の観点から、これらの小動物については施設敷地内への侵入を規制し、また敷地内に侵入したものについては敷地外へと誘導する必要がある。とりわけ、原子力発電施設では自然との共生が強く求められているため、貴重種の保護は、施設の建設時点から十分な注意を払う必要がある。
【０００３】
小動物の侵入を規制する装置として、例えば、特許文献１には、絶縁シートの表面に一対の櫛歯状電極を互いに近接させた状態に設け、これらの電極同士の間に電圧パルスを印加する装置が提案されている。この装置では、電極を通じて微小な電流を小動物に流すことで刺激を与え、刺激による威嚇で小動物を寄せ付けないようにしている。
【先行技術文献】
【特許文献】
【０００４】
【特許文献１】特開２００４−３５７５２０号公報
【発明の概要】
【発明が解決しようとする課題】
【０００５】
特許文献１の装置は、電流による刺激で小動物を威嚇しているため、小動物との共生という観点から好ましくない。また、電極対が露出する構造であるため、屋外のように水が存在する環境下では短絡の可能性がある。さらに、電気エネルギーを消費するため、省電力の観点からも好ましくない。
【０００６】
本発明は、このような事情に鑑みてなされたものであり、その目的は、小動物を威嚇することなく無動力で、小動物の移動を規制することにある。
【課題を解決するための手段】
【０００７】
前記課題を解決するため、本発明は、施設側敷地と敷地外との境界に設置され、前記施設側敷地から前記敷地外への小動物の移動は許容し、前記敷地外から前記施設側敷地への小動物の移動を規制する移動規制部材であって、前記小動物が移動する壁面に取り付けられる取り付け部と、前記取り付け部が前記壁面に取り付けられた状態で、前記壁面における敷地側部分に対しては鈍角をなし、前記壁面における敷地外側部分に対しては鋭角をなすように、前記取り付け部に設けられる板状部材である庇部と、前記庇部における前記取り付け部とは反対側の端部から、当該端部に沿って設けられた複数の毛体からなるブラシ部と、を有することを特徴とする。
【０００８】
本発明によれば、端部に毛体が設けられた庇部が、壁面における敷地外側の部分に対して鋭角をなすように設けられているので、壁面を通って敷地内へ浸入しようとする小動物に対しては、庇部等がオーバーハングした状態となる。このため、小動物は、移動規制部材を越えて敷地内へ移動するために身体をのけ反らせる必要があり、移動が困難になる。また、毛体によってオーバーハング部分が拡張されているので、小動物に対して視覚的にも移動の困難性を与えることができる。さらに、この毛体は、小動物が移動する際の足場となり難いため、この点でも小動物の移動が困難になる。特に、ヤモリについては、足の吸着作用によって移動をするので、毛体の上を移動することは困難であるので、毛体によって高い規制効果が得られる。その結果、小動物を威嚇することなく無動力で、小動物の移動を規制することができる。
【０００９】
本発明において、弾性を有する樹脂製細線を複数並べたものによって、前記毛体を構成した場合には、屋外に長期間に亘って移動規制部材を設置しても、毛体の劣化を抑制することができる。これにより、長期間に亘って、小動物の移動を規制することができる。
【００１０】
本発明において、前記取り付け部を板状部材によって作製し、前記庇部を、断面がくの字となるように、前記取り付け部と一体に設けた場合には、取り付け部と庇部とが一体となるので構成を簡素化できる。また、水分の浸入を抑制することもできる。
【００１１】
本発明において、前記取り付け部を、内壁面が前記小動物の移動する通路となるパイプ材の内部に接合される円筒状部材によって作製し、前記庇部を、前記取り付け部の開口縁から前記取り付け部の軸芯方向の外側に向かって次第に縮径される漏斗状部材によって作製した場合には、パイプ材において小動物を一方向に誘導することができる。
【発明の効果】
【００１２】
本発明によれば、小動物を威嚇することなく無動力で、小動物の移動を規制することができる。
【図面の簡単な説明】
【００１３】
【図１】移動規制部材の基本構成を説明するための断面図である。
【図２】移動規制部材の効果を確認するための試験を説明する図であり、（ａ）は試験装置の全体図、（ｂ）は実験容器の第二室を説明する断面図である。
【図３】（ａ）〜（ｆ）は、それぞれ比較例を説明する図である。
【図４】実験結果を説明する図である。
【図５】移動規制部材の作用を説明する部分拡大図である。
【図６】移動規制部材を排水溝に適用した応用例を説明する図である。
【図７】（ａ）は、移動規制部材を誘導パイプに適用した応用例を説明する図である。（ｂ）は、誘導管の入口部分を説明する図である。
【図８】図７（ａ）におけるＡ部拡大図である。
【発明を実施するための形態】
【００１４】
＜移動規制部材について＞
以下、本発明の実施の形態を、図面に基づいて説明する。本実施形態の移動規制部材は、例えば原子力発電施設の敷地内と敷地外との境界に設置され、施設側の敷地内から敷地外への小動物（イタチやヤモリ等）の移動は許容し、敷地外から敷地内への小動物の移動を規制する。図１において、移動規制部材１０は、小動物が移動する壁面ＳＦに取り付けられている。
【００１５】
この移動規制部材１０は、取り付け部２０と、庇部３０と、ブラシ部４０とを有している。取り付け部２０は、壁面ＳＦに取り付けられる部分であり、固定ネジ５１が貫通するねじ孔２１が設けられている。従って、ねじ孔２１に固定ネジ５１を挿入して締め込むことで、取り付け部２０を壁面ＳＦに取り付けることができる。
【００１６】
庇部３０は、壁面ＳＦから斜め下方に延びるように設けられた板状部材であり、取り付け部２０の端部から一連に設けられている。また、取り付け部２０との間において、断面がくの字状となるように屈曲されている。そして、壁面ＳＦは、庇部３０と取り付け部２０の境界ＢＤで、施設側の部分ＳＦ１と施設外の部分ＳＦ２とに分けられる。
【００１７】
この庇部３０は、壁面ＳＦにおける施設側の部分ＳＦ１に対して符号θ１で示すように鈍角をなし、施設外の部分ＳＦ２に対して符号θ２で示すように鋭角をなすように設けられる。言い換えれば、小動物が壁面ＳＦを敷地内から敷地外へと進む場合に鈍角θ１のスロープ部を構成し、敷地外から敷地内へと進む場合に鋭角θ２のオーバーハング部を構成する。例えばヤモリを対象にする場合、鈍角θ１が１３０度〜１４０度に定められ、鋭角θ２が５０度〜４０度に定められる。また、庇部３０の長さは、１ｃｍ〜２ｃｍに定められる。
【００１８】
ブラシ部４０は、庇部３０における取り付け部２０とは反対側の端部３１から、この端部３１に沿って横並びに設けられた複数の毛体４１によって構成されている。各毛体４１は、ヤモリを対象にする場合、太さが０．３ｍｍ以下であって庇部３０からの突出長さが１．５ｃｍ〜３ｃｍの極細線によって作製される。そして、毛体４１の素材としては、ポリエチレンやポリプロピレンといった合成樹脂が好適に用いられる。これは、毛体４１を合成樹脂によって作製することで、長期間に亘って移動規制部材１０を屋外に設置しても、毛体４１の劣化を抑制することができ、小動物の移動を規制することができるからである。また、隣り合う毛体４１同士の間隔（配設ピッチ）は、ヤモリを対象にする場合、２ｍｍ〜１０ｍｍに定められる。
【００１９】
本実施形態において、取り付け部２０及び庇部３０は、１枚のステンレス板もしくはプラスチック板を折り畳むことで作製されている。そして、ブラシ部４０における根元側の部分が、折り畳まれた取り付け部２０及び庇部３０の内側に、サンドイッチ状に固定されている。
【００２０】
なお、各部の寸法・材質はあくまで一例であり、対象とする小動物の体長に応じて適宜定められる。
【００２１】
＜効果確認実験について＞
次に、前述の移動規制部材１０による小動物の移動規制効果を確認する実験について説明する。この確認実験では、対象となる小動物としてヤモリを選定した。
【００２２】
図２（ａ）に示すように、この確認実験では、２つのペットボトルで作製した実験容器１００を用いた。すなわち、胴体部が円筒形状をしたペットボトルを２本用意し、注ぎ口同士を向かい合わせて接続することで実験容器１００を作製した。この実験容器１００を縦方向に設置し、下側に位置するペットボトルによって第一室１１０を、上側に位置するペットボトルによって第二室１２０をそれぞれ区画した。そして、互いに接続された注ぎ口によって、ヤモリが通過し得る大きさの狭窄通路１３０を構成した。従って、第一室１１０と第二室１２０は、狭窄通路１３０によってヤモリが行き来できるように連通されている。
【００２３】
また、遮光性を有する筒状部材の天井部分を同じく遮光性の円盤部材で塞ぎ、下端が開放された遮光筒１４０を作製した。この遮光筒１４０によって第二室１２０の全体及び第一室１１０の上半分を一連に覆った。これにより、第二室１２０をヤモリが好む暗室とし、第一室１１０に放したヤモリを第二室１２０へと誘導するようにした。
【００２４】
図２（ｂ）に示すように、第一室１１０の上部には、移動規制部材１５０を設けた。確認実験で用いた移動規制部材１５０は、第一室１１０を区画するペットボトルの内周部にちょうど収まる大きさの筒状とした。すなわち、取り付け部１５１は、外径が第一室１１０の内径に等しい円筒状部材によって構成される。また、庇部１５２は、取り付け部１５１の下端に設けられ、下方（取り付け部１５１の軸芯方向の外側）に向かって次第に縮径する漏斗状部材によって構成される。さらに、ブラシ部１５３は、庇部１５２の下端から取り付け部１５１の軸芯に向かって斜め下方に設けられる複数の毛体１５４によって構成される。
【００２５】
この確認実験において、庇部１５２と第一室１１０の内壁面との間の角度（図１における鋭角θ２に相当する）は、４５度に定めた。また、庇部１５２の長さは１．５ｃｍに定め、ブラシ部１５３（毛体１５４）の長さも１．５ｃｍに定めた。
【００２６】
次に、比較例について説明する。図３に示すように、この確認実験では、複数種類の比較例を用いて移動規制部材１５０の効果を確認した。
【００２７】
第１比較例は、図３（ａ）に示すように、ヤモリの移動を規制するための部材を第一室１１０内に配置してない場合の例である。この第１比較例によって、実験容器１００内をヤモリが上れるか否かを確認する。
【００２８】
第２比較例は、図３（ｂ）に示すように、移動規制部材１５０に代えて複数の毛体１６２で作製した一重ブラシ１６１を用いた例である。すなわち、第一室１１０の内壁面から円筒の軸心に向かって複数本の毛体１６２をほぼ水平に支持して一重ブラシ１６２とした場合の例である。この第２比較例によって一重ブラシだけでも移動抑制効果があるか否かを確認する。
【００２９】
第３，４比較例は、図３（ｃ）に示すように、移動規制部材１５０に代えて多重構造のブラシ１６３を用いた例である。すなわち、多重構造のブラシ１６３を、第一室１１０の内壁面に沿って周回させた状態で取り付けた例である。多重構造のブラシ１６３は、試験管ブラシのように、芯材となる針金から放射状に多数の毛体を設けたものである。そして、第３比較例では直径が１４ｍｍのブラシ１６３を用いた。また、第４比較例では直径が２８ｍｍのブラシ１６３を用いた。
【００３０】
第５比較例は、図３（ｄ）に示すように、移動規制部材１５０に代えて水を含ませた布１６４を用いた例である。すなわち、水を含ませた布１６４を第一室１１０の内壁面に沿って周回させた状態で貼付した例である。この第５比較例において、布１６４の幅は２０ｍｍとした。
【００３１】
第６比較例は、図３（ｅ）に示すように、移動規制部材１５０に代えて多重構造のブラシ１６３及び水を含ませた布１６４を用いた例である。すなわち、多重構造のブラシ１６３のすぐ上に水を含ませた布１６４を貼付した例である。この第６比較例において、ブラシ１６３の直径は１４ｍｍとし、布１６４の幅は２０ｍｍとした。
【００３２】
第７比較例は、図３（ｆ）に示すように、移動規制部材１５０に代えて表面に多数の突起１６６を有する樹脂性シート１６５を、第一室１１０の内壁面ＳＦに沿って周回させた状態で貼付した例である。
【００３３】
確認試験は、移動規制部材１５０を設けた実施形態と、上述の各比較例のそれぞれについて行った。この確認試験では、生後３年程度のニホンヤモリを２匹第一室１１０に放し、第二室１２０への移動をあきらめて２匹のヤモリが第一室１１０に留まっていた場合にＯＫとし、一方のヤモリが第二室１２０へ移動した場合にＮＧとした。
【００３４】
ここで、ニホンヤモリを選定した理由は、貴重種であるタワヤモリよりも活動が活発であること、及び、貴重種として選定されていないことによる。また、生後３年程度のニホンヤモリを選定した理由は、他の年代に比べて活動が活発なことによる。さらに、２匹のニホンヤモリを放した理由は、第二室１２０への誘導を促すためである。すなわち、ヤモリは、互いのテリトリーを守るため、離れて過ごす性質を有している。このため、２匹のニホンヤモリを第一室１１０に放すことで、一方のニホンヤモリは、互いのテリトリーを確保すべく第二室１２０へ誘導され易くなる。
【００３５】
＜実験結果について＞
確認実験の結果を図４に示す。本実施形態の移動規制部材１５０は、一晩放置しても２匹のニホンヤモリが第一室１１０へ留まっていた。これにより、ヤモリに対する移動規制の効果があることが確認できた。
【００３６】
これに対し、第１、第２、第７比較例は、何れも移動規制の効果がなかった。すなわち、ニホンヤモリは、垂直方向に延びる第一室１１０の内壁面を上ることができることが確認された。また、一重ブラシ１６１や表面に突起１６６を設けた樹脂シート１６５では、ヤモリの移動を規制できないことも確認された。
【００３７】
また、第３〜第６比較例では、足止めの効果はあったものの、ヤモリの移動を規制するまでの効果はみられなかった。すなわち、ニホンヤモリは、多重構造のブラシ１６３を乗り越えて進むことができ、水を含ませた布１６４の上も進むことができることが確認された。
【００３８】
ここで、移動規制部材１５０による作用効果について考察する。図５に示すように、移動規制部材１５０を用いた場合、第一室１１０から壁面を通って第二室１２０へ侵入しようとするヤモリからは、庇部１５２及びブラシ部１５３がオーバーハングした状態となる。確認試験において、ヤモリは、庇部１５２とブラシ部１５３を視認するが、前足を庇部１５２側へ伸ばそうとはしなかった。
【００３９】
なぜ前足を伸ばさなかったかについては定かではないが、庇部１５２及びブラシ部１５３がオーバーハングした状態で設けられているためと推察される。すなわち、ヤモリは、内壁面を第二室１５２側（敷地内側に相当する）へ移動するために身体をのけ反らせる必要があり、前足を内壁面から離してのけ反る体制になると、不安定になって落下してしまうからと推察される。
【００４０】
また、ヤモリは、ブラシ状のものを苦手としている知見がある。この知見では、ヤモリが足の吸着作用によって移動をするため、細長い毛体１５４の上を移動することは困難であるからと理由付けられている。そして、ヤモリが苦手とするブラシ部１５３によって、オーバーハングした部分が斜め下方に向けて拡張されているため、視覚的にも移動が困難であるとの印象を与えていると推察される。
【００４１】
さらに、内壁面から離した前足がブラシ部１５３に届いたとしても、このブラシ部１５３は弾性を有する複数本の毛体１５４で構成されているため、ヤモリが移動する際の足場にはなり難い。このため、前足がブラシ部１５３に届いたとしても、ヤモリはバランスを崩して落下する可能性が高い。従って、落下を事前に回避すべく、前足を伸ばさなかった可能性もある。
【００４２】
以上の確認実験より、本実施形態の移動規制部材１５０を用いることにより、ヤモリを威嚇することなく無動力で、小動物の移動を規制することが確認できた。
【００４３】
＜応用例について＞
次に、移動規制部材の応用例について説明する。図６は、移動規制部材２１０を排水溝２２０に適用した第１応用例を説明する図である。この第１応用例では、移動規制部材２１０を帯状に構成し、施設側の敷地と敷地外の境界に設けられる排水溝２２０に設けている。具体的には、排水溝２２０における敷地側の立ち上がり壁面２２１に、庇部２１２やブラシ部２１３を斜め下方に向けた状態で取り付け部２１１を取り付けている。そして、移動規制部材２１０は、敷地を囲む排水溝２２０の全体に亘って設けられている。
【００４４】
このように構成することで、排水溝２２０の底面から施設側の壁面２２１を上ってきたヤモリは、前述の確認実験と同様に、オーバーハングして設けられた庇部２１２及びブラシ部２１３によって、敷地内への移動を規制される。このため、排水溝２２０を通じてヤモリが敷地内に入り込むことを防止できる。一方、何らかの理由で敷地内に入り込んだヤモリが排水溝２２０における施設側の壁面２２１を下りてきた場合、庇部２１２はスロープのように機能する。このため、ヤモリは、特に支障なく移動規制部材２１０を越えることができる。そして、移動規制部材２１０を越えた後は、敷地内に戻ろうとしても移動規制部材２１０によって移動が規制される。従って、敷地内に入り込むことを防止できる。
【００４５】
従って、この第１応用例では、威嚇を行わなくとも敷地内の小動物を敷地外に誘導することができ、かつ、敷地外の小動物が敷地内に入り込むことを規制できる。さらに、電気などの動力も不要である。
【００４６】
図７及び図８は、移動規制部材３１０を、小動物を敷地外へ誘導する誘導パイプ３２０の途中に設けた第２応用例を説明する図である。図７（ａ），（ｂ）に示すように、この第２応用例では、小動物が逃げ込み易いように敷地内に掘られた枡状部３３０の底面と敷地外とを誘導パイプ３２０で連通し、この誘導パイプ３２０内の空間を、小動物を誘導するための通路として用いている。そして、敷地外への下流側パイプ３２３を、枡状部３３０からの上流側パイプ３２１よりも下方に設け、下流側パイプ３２３における上流側端部と上流側パイプ３２１における下流側端部との間を鉛直方向に設置された中間パイプ３２２によって連通している。
【００４７】
図８に示すように、中間パイプ３２２の内部には移動規制部材３１０が設けられている。この移動規制部材３１０は、確認実験で説明したものと同様に、円筒状部材によって構成された取り付け部３１１と、漏斗状部材によって構成された庇部３１２と、庇部３１２の先端に設けられた毛体３１４からなるブラシ部３１３とを有している。そして、庇部３１２における縮径部分が下向きとなる状態で設けられている。
【００４８】
この第２応用例では、イタチやヤモリ等の小動物が枡状部３３０に入ると、この小動物は、上流側パイプ３２１を通って敷地外へ向けて移動する。そして、上流側パイプ３２１の下流端まで到達すると、中間パイプ３２２の内部を落下し、移動規制部材３１０を通過して下流側パイプ３２３の上流端に到達する。落下した小動物は、中間パイプ３２２に設けられた移動規制部材３１０により、上方向への移動を規制されるため、下流側パイプ３２３を敷地外側へ移動する。そして、下流側パイプ３２３を抜けて敷地外に放たれる。
【００４９】
一方、敷地外から下流側パイプ３２３に入り込んだ小動物は、下流側パイプ３２３を上流側に進むことはできるが、中間パイプ３２２に設けられた移動規制部材３１０により、上方向への移動を規制される。このため、下流側パイプ３２３を敷地外側へ移動し、下流側パイプ３２３を抜けて敷地外に戻ることになる。
【００５０】
従って、この第２応用例でも、威嚇を行わなくとも敷地内の小動物を敷地外に誘導することができ、かつ、敷地外の小動物が敷地内に入り込むことを規制できる。さらに、電気などの動力も不要である。
【００５１】
以上、本発明の好適な実施形態や応用例について説明したが、これらの実施形態等は、本発明の理解を容易にするためのものであり、本発明を限定して解釈するためのものではない。本発明は、その趣旨を逸脱することなく、変更、改良され得ると共に、その等価物が含まれる。
【００５２】
例えば、前述の実施形態等では、鉛直方向の壁面に移動規制部材１０等が取り付けられる場合について説明したが、斜め上方に立ち上がる壁面に取り付けたとしても同様な作用効果を奏する。
【００５３】
また、前述の実施形態では、取り付け部２０等と庇部３０等とを１つの部材として設けた例について説明したが、この構成に限定されない。例えば、取り付け部２０等と庇部３０等とを別部材として設け、接着等によって一体化してもよい。
【００５４】
また、前述の実施形態では、ブラシ部４０等を構成する毛体４１等が合成樹脂製の極細線によって構成されていたが、この構成に限定されない。例えば、動物の体毛によってブラシ部３１３を構成してもよい。
【００５５】
さらに、ブラシ部４０等に関し、一重のものに限られない。複数本の毛体４１等を束ねて刷毛のように構成してもよい。
【００５６】
また、対象とする小動物に関し、庇部３０等やブラシ部４０等で構成されるオーバーハング部分によって、敷地内側への移動を規制できれば、ヤモリ以外の他の種の小動物であっても対象となり得る。
【符号の説明】
【００５７】
１０…移動規制部材，２０…取り付け部，２１…ねじ孔，３０…庇部，３１…庇部の端部，４０…ブラシ部，４１…毛体，５１…固定ネジ，１００…実験容器，１１０…第一室，１２０…第二室，１３０…狭窄通路，１４０…遮光筒，１５０…移動規制部材，１５１…取り付け部，１５２…庇部，１５３…ブラシ部，１５４…毛体，１６１…一重ブラシ，１６２…毛体，１６３…多重構造のブラシ，１６４…水を含ませた布，１６５…樹脂性シート，１６６…突起，２１０…移動規制部材，２１１…取り付け部，２１２…庇部，２１３…ブラシ部，２２０…排水溝，２２１…排水溝における敷地側の立ち上がり壁面，３１０…移動規制部材，３１１…取り付け部，３１２…庇部，３１３…ブラシ部，３１４…毛体，３２０…誘導パイプ，３２１…上流側パイプ，３２２…中間パイプ，３２３…下流側パイプ，３３０…枡状部，ＳＦ…壁面，ＳＦ１…壁面の施設側部分，ＳＦ２…壁面の施設外部分，ＢＤ…境界
【図１】
0005334942.tif 000002
【図２】
0005334942.tif 000003
【図３】
0005334942.tif 000004
【図４】
0005334942.tif 000005
【図５】
0005334942.tif 000006
【図６】
0005334942.tif 000007
【図７】
0005334942.tif 000008
【図８】
0005334942.tif 000009